(57)【要約】【課題】  使い捨てではない緩衝効果を発揮できる梱包構成を持つ物品梱包装置を提供する【解決手段】  樹脂パレット５の上に機器本体１を乗せ、パレット５の四隅に支柱６を立て、機器本体１との隙間を樹脂パッド７でふさぎ、天板８で上から押さえる。樹脂製のパレット５上に、自転車用のタイヤチューブ９を置き、そのバルブ１０から十分にエアを注入した状態とした上に機器本体１を置き、床面の衝撃をタイヤチューブ９により緩衝させ、機器本体１を保護する。【選択図】        図３
2006206137.tif 000002
【特許請求の範囲】
【請求項１】
パレット上に、物品運搬時、荷扱い時、保管時等の振動、衝撃等を吸収するための緩衝部材を配し、該緩衝部材を介して前記パレット上に物品を載置する物品梱包装置であって、前記緩衝部材が、環状でエアを内蔵したチューブ材でありかつエアを出し入れ可能とする手段を有することを特徴とする物品梱包装置。
【請求項２】
請求項１の物品梱包装置において、前記緩衝材を複数用いたことを特徴とする物品梱包装置。
【請求項３】
請求項２の物品梱包装置において、前記複数の緩衝材が同径またはほぼ同径であり、これら緩衝部材を前記パレット上に縦積み状に配置したことを特徴とする物品梱包装置。
【請求項４】
請求項２の物品梱包装置において、前記複数の緩衝材が異なる径であり、これら緩衝部材を前記パレット上に同心円状に配置したことを特徴とする物品梱包装置。
【請求項５】
パレット上に物品を載置する物品梱包装置であって、物品運搬時、荷扱い時、保管時等の振動、衝撃等を吸収するための緩衝部材を、前記パレットの前記物品載置面より上方に配し、該緩衝部材を介して前記物品を保持し、前記緩衝部材が、環状でエアを内蔵したチューブ材でありかつエアを出し入れ可能とする手段を有することを特徴とする物品梱包装置。
【請求項６】
請求項５の物品梱包装置において、前記緩衝材を前記物品の周囲に巻きつけて配置したことを特徴とする物品梱包装置。
【請求項７】
請求項６の物品梱包装置において、物品に巻き付ける前記緩衝材を複数としたことを特徴とする物品梱包装置。
【請求項８】
請求項１から６のいずれかの物品梱包装置において、前記緩衝部材が自転車用のタイヤチューブまたはそれと同等のものであることを特徴とする物品梱包装置。
【請求項９】
請求項８の物品梱包装置において、前記タイヤチューブまたはそれと同等のものがエアを出し入れするためのエアバルブを有し、該エアバルブを前記パレットの上方に向けて配置したことを特徴とする物品梱包装置。
【発明の詳細な説明】
【技術分野】
【０００１】
本発明は、物品梱包装置に関し、詳細には画像形成装置等の機器、装置等の物品運搬時における物品保護性を向上させたものに関する。
【背景技術】
【０００２】
画像形成装置等の機器、装置等の物品を搭載して輸送するための物品梱包装置に関しては、機器を載置するパレットを用いるものが一般的である。
【０００３】
図１は、このようなタイプの物品梱包装置の一例を示す分解斜視図である。図１の例は、特にリサイクルを考えていない例であり、機器本体１を梱包するのにダンボール製の底板２に発泡スチロール製の緩衝材３を置き、その上に機器本体１を置き、上からさらに押さえの発泡スチロール製のパッド３ａを乗せ、さらにダンボール箱４をかぶせるという形態である。
【０００４】
ところで、省エネ、リサイクル化が進む中、商品の包装材も使い捨てではなく循環型にかわりつつある。そのため、上述したような従来の発泡スチロールの緩衝材とダンボールという梱包形態から、樹脂のパレットと支えとから構成した梱包形態が採られるようになってきている。
【０００５】
図２はリサイクルを考慮した循環型の梱包例で、使い捨てにならない樹脂パレット５の上に直接に機器本体１を乗せ、そのパレット５の四隅に樹脂製の支柱６を立て、機器本体１との隙間を樹脂製のパッド７でふさぎ、上から樹脂製の天板８で押さえるという梱包形態となっている。
【特許文献１】特開２００１−３０９８０９号公報
【特許文献２】特開２００１−１３９０１８号公報
【特許文献３】特開２００４−０９９１５０号公報
【発明の開示】
【発明が解決しようとする課題】
【０００６】
ところで、図２のような形態にすると、床面に対する緩衝材がなくなり、機器へのダメージも発生してくる。
【０００７】
そこで本発明は、使い捨てではない緩衝効果を発揮できる梱包構成を持つ物品梱包装置を提供することを目的とする。
【課題を解決するための手段】
【０００８】
本発明の請求項１に係る物品梱包装置は、パレット上に、物品運搬時、荷扱い時、保管時等の振動、衝撃等を吸収するための緩衝部材を配し、該緩衝部材を介して前記パレット上に物品を載置する物品梱包装置であって、前記緩衝部材が、環状でエアを内蔵したチューブ材でありかつエアを出し入れ可能とする手段を有することを特徴とする。
【０００９】
同請求項２に係るものは、請求項１の物品梱包装置において、前記緩衝材を複数用いたことを特徴とする。
【００１０】
同請求項３に係るものは、請求項２の物品梱包装置において、前記複数の緩衝材が同径またはほぼ同径であり、これら緩衝部材を前記パレット上に縦積み状に配置したことを特徴とする。
【００１１】
同請求項４に係るものは、請求項２の物品梱包装置において、前記複数の緩衝材が異なる径であり、これら緩衝部材を前記パレット上に同心円状に配置したことを特徴とする。
【００１２】
同請求項５に係るものは、パレット上に物品を載置する物品梱包装置であって、物品運搬時、荷扱い時、保管時等の振動、衝撃等を吸収するための緩衝部材を、前記パレットの前記物品載置面より上方に配し、該緩衝部材を介して前記物品を保持し、前記緩衝部材が、環状でエアを内蔵したチューブ材でありかつエアを出し入れ可能とする手段を有することを特徴とする。
【００１３】
同請求項６に係るものは、請求項５の物品梱包装置において、前記緩衝材を前記物品の周囲に巻きつけて配置したことを特徴とする。
【００１４】
同請求項７に係るものは、請求項６の物品梱包装置において、物品に巻き付ける前記緩衝材を複数としたことを特徴とする。
【００１５】
同請求項８に係るものは、請求項１から６のいずれかの物品梱包装置において、前記緩衝部材が自転車用のタイヤチューブまたはそれと同等のものであることを特徴とする。
【００１６】
同請求項９に係るものは、請求項８の物品梱包装置において、前記タイヤチューブまたはそれと同等のものがエアを出し入れするためのエアバルブを有し、該エアバルブを前記パレットの上方に向けて配置したことを特徴とする。
【発明の効果】
【００１７】
本発明は、使い捨てではない緩衝効果を備えた梱包構成を実現できるという効果がある。
【発明を実施するための最良の形態】
【００１８】
以下本発明を実施するための最良の形態を、図に示す実施例を参照して説明する。なお以下では、従来の例と共通する部分には共通する部分には符号を付して説明する。
【実施例１】
【００１９】
図３は本発明に係る物品梱包装置の第１実施例を示す分解斜視図である。この実施例は、図２の例と同様に、樹脂パレット５の上に機器本体１を乗せ、パレット５の四隅に支柱６を立て、機器本体１との隙間を樹脂パッド７でふさぎ、天板８で上から押さえるものであるが、樹脂製のパレット５上に、例えば自転車用のタイヤチューブ９を置き、そのバルブ１０から十分にエアを注入した状態とした上に機器本体１を置く。このことにより、床面の衝撃をこのタイヤチューブ９により緩衝させ、機器本体１を保護している。
【００２０】
タイヤチューブ９は空気取り入れ口に設けてあるバルブ１０をもちろんパレット５の外側から操作できるように設けるので、必要に応じてエアを送り込めば、運送状況等に応じて緩衝性を調節、可変できる。この点は、以下に説明する実施例においても同様である。
【実施例２】
【００２１】
図４は本発明に係る物品梱包装置の第２実施例を示す分解斜視図である。この実施例は、同心状に２本のタイヤチューブ９を置くことにより、種々の機器本体１、すなわち異なる重量に対応できる。タイヤチューブ９の本数は何本でもよいし、図示のように径の異なるものを同心に配置しても、あるいは同径のものを積み重ねてもよい。後者の場合、複数のタイヤチューブ９を紐などで束ねて固定することが好ましい。
【実施例３】
【００２２】
図５は本発明に係る物品梱包装置の第３実施例を示す分解斜視図である。この実施例は、機器本体１の外周にもタイヤチューブ９をかぶせている。そのため、側面からの荷重にも対応でき、優れた緩衝性を得られる。なお樹脂製のパッド７と併用してもよい。
【実施例４】
【００２３】
図６は本発明に係る物品梱包装置の第４実施例を示す分解斜視図である。この実施例は、機器本体１の外周にかぶせるタイヤチューブ９を２本として種々の機器の側面荷重に対応できるようにしている。なお、機器本体１の外周にかぶせるタイヤチューブ９の本数は２本に限定されないことはもちろんである。
【００２４】
以上説明してきた実施例では、自転車のタイヤチューブ９を用いているが、本発明の緩衝部材としては、環状でエアを内蔵したチューブ材でありかつエアを出し入れ可能とする手段を有するものであればよい。いずれにしても、発泡スチロールのように一度で壊れてしまうことなく使い捨てにならない。
【００２５】
また緩衝材をパレット上に敷いて機器の受ける力、ダメージを少なくできるが、緩衝材を複数用いればいろんな機器の重量に対応でき、また緩衝材の空気圧をいつでも補充できるので、緩衝効果を持続できる。さらに、緩衝材を機器の周囲にも配置すれば、機器の側面の衝撃にも耐え得る。その場合も側面の緩衝材を複数設けることで、いろんな機器の重量に対応できる。
【図面の簡単な説明】
【００２６】
【図１】機器を載置するパレットを用いる物品梱包装置の一例を示す分解斜視図である。
【図２】リサイクルを考慮した循環型の梱包例の分解斜視図である。
【図３】本発明に係る物品梱包装置の第１実施例を示す分解斜視図である。
【図４】本発明に係る物品梱包装置の第２実施例を示す分解斜視図である。
【図５】本発明に係る物品梱包装置の第３実施例を示す分解斜視図である。
【図６】本発明に係る物品梱包装置の第４実施例を示す分解斜視図である。
【符号の説明】
【００２７】
１：機器本体
２：底板
３：緩衝材
３ａ：パッド
４：ダンボール箱
５：パレット
６：支柱
７：パッド
８：天板
９：タイヤチューブ
１０：バルブ
【図１】
2006206137.tif 000003
【図２】
2006206137.tif 000004
【図３】
2006206137.tif 000005
【図４】
2006206137.tif 000006
【図５】
2006206137.tif 000007
【図６】
2006206137.tif 000008